(57)【要約】【課題】例えばインピーダンス変化を検出する面状のセンサー部や圧力変化を検出する面状のセンサー部を容易に固定することができ、利便性が向上する吸収性物品を提供すること。【解決手段】本発明の尿とりパッド１Ａは、表面シート２と、裏面シート３と、これら両シート２，３間に配された吸収体４とを有する縦長の吸収性本体５を備える。尿とりパッド１Ａは、吸収性本体５の非肌対向面５ｄ側に吸収性本体５の幅方向（Ｘ方向）に延びる複数本の帯状部材６を備える。複数本の帯状部材６は、吸収性本体５の長手方向（Ｙ方向）に間隔を空けて配され、各帯状部材６の両端部６ａ，６ｂの内の少なくとも一端部６ａが、吸収性本体５の長手方向（Ｙ方向）に沿う側部５ｓにおいて、裏面シート３の非肌対向面３ｄと接合している。【選択図】図３
2015027323.tif 000002
【特許請求の範囲】
【請求項１】
肌対向面側に配された表面シートと、非肌対向面側に配された裏面シートと、これら両シート間に配された吸収体とを有する縦長の吸収性本体を備えた吸収性物品であって、
前記吸収性物品は、前記吸収性本体の非肌対向面側に該吸収性本体の幅方向に延びる複数本の帯状部材を備え、
複数本の前記帯状部材は、前記吸収性本体の長手方向に間隔を空けて配され、各帯状部材の両端部の内の少なくとも一端部が、前記吸収性本体の長手方向に沿う側部において、前記裏面シートの非肌対向面と接合している吸収性物品。
【請求項２】
前記吸収性物品は、前記吸収性本体の長手方向に長いシート状のセンサーを、前記裏面シートと複数本の前記帯状部材との間に配して使用される請求項１に記載の吸収性物品。
【請求項３】
前記吸収性物品は、前記吸収性本体の肌対向面側において、該吸収性本体の長手方向に沿う両側部それぞれに配設固定された撥水性のサイドシートを備え、該サイドシートの自由端部には、該吸収性本体の長手方向に伸長状態の立体ギャザー形成用の弾性部材が配設固定されており、
着用時には、前記立体ギャザー形成用の弾性部材の収縮力によって、前記サイドシートの自由端部が起立して立体ギャザーを形成する請求項１又は２に記載の吸収性物品。
【請求項４】
各前記帯状部材の両端部の内の他端部が、前記吸収性本体の長手方向に沿う側部において、前記裏面シートの非肌対向面と再締結可能に接合している請求項１〜３の何れか１項に記載の吸収性物品。
【請求項５】
各前記帯状部材の前記他端部と前記裏面シートとを再締結可能に接合する接合手段が、面ファスナーである請求項４に記載の吸収性物品。
【請求項６】
前記裏面シートは、液難透過性である請求項１〜５の何れか１項に記載の吸収性物品。
【請求項７】
各前記帯状部材は、伸縮性を有している請求項１〜６の何れか１項に記載の吸収性物品。
【請求項８】
前記吸収性物品は、前記吸収性本体の肌対向面側において、該吸収性本体の長手方向に沿う両側部それぞれに配設固定された撥水性のサイドシートを備え、該サイドシートの自由端部には、該吸収性本体の長手方向に伸長状態の立体ギャザー形成用の弾性部材が配設固定されており、
着用時には、前記立体ギャザー形成用の弾性部材の収縮力によって、前記サイドシートの自由端部が起立して立体ギャザーを形成しており、
前記立体ギャザーは、その収縮率が、各前記帯状部材の収縮率よりも大きい請求項７に記載の吸収性物品。
【請求項９】
各前記帯状部材は、２片の短部材から形成されており、該２片の短部材同士は再締結可能に接合している請求項１〜８の何れか１項に記載の吸収性物品。
【請求項１０】
各前記帯状部材の前記一端部と前記裏面シートとは、前記吸収性本体を横断面視して、前記吸収体と重なる位置で接合している請求項１〜９の何れか１項に記載の吸収性物品。
【請求項１１】
前記吸収性物品は、使い捨ておむつの内側に配されて使用される尿とりパッドであり、各前記帯状部材の非肌対向面に、該吸収性物品を前記使い捨ておむつの内側に固定する接着剤が塗工されている請求項１〜１０の何れか１項に記載の吸収性物品。
【発明の詳細な説明】
【技術分野】
【０００１】
本発明は、尿とりパッド等の吸収性物品に関する。
【背景技術】
【０００２】
従来より、尿等の排泄物の処理に伴う経済的、労力的な負担の軽減を目的として、吸収性パッドを使い捨ておむつに重ねて使用することが行われている。吸収性パッドを重ねて使用する使い捨ておむつとして、例えば、特許文献１には、使い捨ておむつの外装部材の表面部位に補助パッドを保持するためのベルト状部材が、使い捨ておむつの外装部材に設けられた使い捨ておむつが記載されている。
【０００３】
また、特許文献２には、吸収性パッドに類似して、幅方向に帯状に延びる１本のテープを非肌対向面に有する生理用ナプキンが記載されている。特許文献２に記載の生理用ナプキンによれば、処理する際、汚れた表面シートが内側となるように二つ折りした状態でテープを掛けることにより、その状態を保持することができる。
【０００４】
これとは別の技術として、本出願人は、先に、尿とりパッド等の吸収性物品内部の排尿の有無を検知するセンサー部を吸収性物品全体に亘って面状に分布して配し、センサー素子のインピーダンス変化を検出する排泄検知装置を提案した（特許文献３参照）。特許文献３に記載の排泄検知装置によれば、人体の動き等の影響を軽減して、排泄量を精度良く測定することができる。
【先行技術文献】
【特許文献】
【０００５】
【特許文献１】特開２００５−２７０３７７号公報
【特許文献２】実特平１−１５７７３１号公報
【特許文献３】特開２０１１−７８７９１号公報
【発明の概要】
【発明が解決しようとする課題】
【０００６】
しかし、特許文献１に記載の使い捨ておむつ、及び特許文献２に記載の生理用ナプキンには、例えばインピーダンス変化を検出する面状のセンサー部や圧力変化を検出する面状のセンサー部を固定する固定手段について、何ら記載されていない。このような固定手段を具備する吸収性パッドや使い捨ておむつ等の吸収性物品があれば、便利である。
【０００７】
従って、本発明は、前述したニーズを満足し得る吸収性物品を提供することに関するものである。
【課題を解決するための手段】
【０００８】
本発明は、肌対向面側に配された表面シートと、非肌対向面側に配された裏面シートと、これら両シート間に配された吸収体とを有する縦長の吸収性本体を備えた吸収性物品であって、前記吸収性物品は、前記吸収性本体の非肌対向面側に該吸収性本体の幅方向に延びる複数本の帯状部材を備え、複数本の前記帯状部材は、前記吸収性本体の長手方向に間隔を空けて配され、各帯状部材の両端部の内の少なくとも一端部が、前記吸収性本体の長手方向に沿う側部において、前記裏面シートの非肌対向面と接合している吸収性物品を提供するものである。
【発明の効果】
【０００９】
本発明の吸収性物品によれば、例えばインピーダンス変化を検出する面状のセンサー部や圧力変化を検出する面状のセンサー部を容易に固定することができ、利便性が向上する。
【図面の簡単な説明】
【００１０】
【図１】図１は、本発明の第１実施形態である尿とりパッドを展開型の使い捨ておむつの内側に取り付けた状態を示す斜視図である。
【図２】図２は、本発明の第１実施形態である尿とりパッドにセンサーを固定した状態を示す斜視図である。
【図３】図３は、図２に示す尿とりパッドを伸長させた状態を非肌対向面側から見た平面図である。
【図４】図４は、図３のＩ−Ｉ線断面図である。
【図５】図５は、本発明の第２実施形態の尿とりパッドを伸長させた状態を非肌対向面側から見た平面図である（図３相当図）。
【図６】図６は、図５のＩＩ−ＩＩ線断面図である（図４相当図）。
【図７】図７は、本発明の第３実施形態の尿とりパッドを伸長させた状態を非肌対向面側から見た平面図である（図３相当図）。
【図８】図８は、図７のＩＩＩ−ＩＩＩ線断面図である（図４相当図）。
【発明を実施するための形態】
【００１１】
以下、本発明の吸収性物品を、その好ましい第１実施形態に基づき、図１〜図４を参照しながら説明する。
第１実施形態の吸収性物品は、図１に示すように、使い捨ておむつ１００の内側に配されて使用される尿とりパッド１Ａ（以下、「尿とりパッド１Ａ」ともいう。）である。尿とりパッド１Ａは、肌対向面側に配された表面シート２と、非肌対向面側に配された裏面シート３と、これら両シート２，３間に配された吸収体４とを有する縦長の吸収性本体５を備えている。尿とりパッド１Ａは、図２，図３に示すように、吸収性本体５の非肌対向面５ｄ側に吸収性本体５の幅方向（Ｘ方向）に延びる複数本の帯状部材６を備えている。複数本の帯状部材６は、図３に示すように、吸収性本体５の長手方向（Ｙ方向）に間隔を空けて配され、図４に示すように、各帯状部材６の両端部６ａ，６ｂの内の少なくとも一端部６ａが、吸収性本体５の長手方向（Ｙ方向）に沿う側部５ｓにおいて、裏面シート３の非肌対向面３ｄと接合している。
【００１２】
第１実施形態の尿とりパッド１Ａについて、詳述すると、尿とりパッド１Ａの吸収性本体５は、図１，図３に示すように、伸長した状態において、長方形状であり、その長手方向（以下「Ｙ方向」ともいう。Ｙ方向：長手方向（Ｙ方向）に延びる中心線ＣＬに平行な方向をいう。）に、着用者の腹側に配される腹側部Ａと、着用者の背側に配される背側部Ｂと、腹側部Ａと背側部Ｂとの間に位置し、着用者の股間部に配される股下部Ｃを有している。尿とりパッド１Ａを内部に取り付ける使い捨ておむつ１００も同様に、尿とりパッド１Ａの吸収性本体５の長手方向（Ｙ方向）に長く形成されており、着用者の腹側に配される腹側部Ａと、着用者の背側に配される背側部Ｂと、腹側部Ａと背側部Ｂとの間に位置し、着用者の股間部に配される股下部Ｃを有している。腹側部Ａ、股下部Ｃ及び背側部Ｂは、おむつ１００を伸長した状態において、おむつ１００の長手方向（Ｙ方向）の全長を略３等分するように区分したときの各領域である。このように、尿とりパッド１Ａの吸収性本体５の長手方向（Ｙ方向）と使い捨ておむつ１００の長手方向（Ｙ方向）とは同方向である。
【００１３】
尚、本明細書においては、長手方向（Ｙ方向）に直交する方向を、吸収性本体５の幅方向、使い捨ておむつ１００の幅方向（Ｘ方向）（以下「Ｘ方向」ともいう。）として説明する。また、本明細書において、「肌対向面」とは、尿とりパッド１Ａを構成する表面シート２或いは使い捨ておむつ１００を構成ずる後述するおむつ表面シート１０２などの各部材の表裏両面のうち、着用時に着用者の肌側に配される面であり、「非肌対向面」とは、表面シート２或いはおむつ表面シート１０２などの各部材の表裏両面のうち、着用時に着用者の肌側とは反対側に向けられる面である。さらにまた、図１に示す線ＣＬは、尿とりパッド１Ａ又は使い捨ておむつ１００の長手方向（Ｙ方向）に延びる中心線である。
【００１４】
第１実施形態の尿とりパッド１Ａでは、表面シート２、裏面シート３及び吸収体４は、図２及び図３に示すように、吸収性本体５の長手方向（Ｙ方向）に長い長方形状を有している。表面シート２及び裏面シート３は、それぞれ、吸収体４の長手方向（Ｙ方向）に沿う左右両側縁及び長手方向（Ｙ方向）の前後両端縁から外方に延出している。表面シート２は、図３に示すように、その長手方向（Ｙ方向）の寸法が、裏面シート３の長手方向（Ｙ方向）の寸法と同じであるが、図４に示すように、その幅方向（Ｘ方向）の寸法が、裏面シート３の幅方向（Ｘ方向）の寸法より小さくなっている。表面シート２及び裏面シート３は、それぞれ、吸収体４の周縁から外方に延出した延出部において直接的に又は他の部材（尿とりパッド１Ａにおいては後述する立体ギャザー８を形成するサイドシート８１）を介在させ、接着剤又は熱融着等によって互いに接合されており、吸収体４を挟持・固定している。尚、吸収体４は、パルプ繊維等の繊維の集合体に吸水性ポリマーの粒子を保持させてなる吸収性コア４１を、１枚のコアラップシート４２で被覆して形成されている。
【００１５】
また、第１実施形態の尿とりパッド１Ａでは、図４に示すように、吸収性本体５の肌対向面５ｕ側において、吸収性本体５の長手方向（Ｙ方向）に沿う両側部５ｓ，５ｓそれぞれに配設固定された撥水性のサイドシート８１を備え、サイドシート８１の自由端部８１ｆには、吸収性本体５の長手方向（Ｙ方向）に伸長状態の立体ギャザー形成用の弾性部材８２が配設固定されており、着用時には、立体ギャザー形成用の弾性部材８２の収縮力によって、サイドシート８１の自由端部８１ｆが起立して立体ギャザー８を形成する。言い換えれば、吸収性本体５の長手方向（Ｙ方向）に沿う両側部５ｓ，５ｓそれぞれには、吸収性本体５の肌対向面５ｕ側、即ち、表面シート２の肌対向面２ｕにおいて、Ｙ方向に伸長状態で固定された弾性部材８２を有するサイドシート８１が、表面シート２の両側部それぞれに、吸収性本体５の長手方向（Ｙ方向）の全長に亘って配され固定されており、これによって一対の立体ギャザー８,８が形成される。尚、尿とりパッド１Ａの吸収性本体５の長手方向（Ｙ方向）に沿う両側部５ｓ，５ｓそれぞれに、レッグギャザー形成用のレッグ弾性部材（不図示）を長手方向（Ｙ方向）に伸長状態に配し、該レッグ弾性部材（不図示）の収縮によりレッグギャザーが形成されるようにしてもよい。
【００１６】
また、第１実施形態の尿とりパッド１Ａは、図２，図３に示すように、吸収性本体５の非肌対向面５ｄ側に吸収性本体５の幅方向（Ｘ方向）に延びる２本の帯状部材６,６を備えている。第１実施形態の尿とりパッド１Ａでは、２本の帯状部材６,６は、図３に示すように、吸収性本体５の長手方向（Ｙ方向）に間隔を空けて配され、図４に示すように、各帯状部材６の両端部６ａ，６ｂの内の一端部６ａが、吸収性本体５の長手方向（Ｙ方向）に沿う側部５ｓにおいて、裏面シート３の非肌対向面３ｄと接合している。そして、２本の帯状部材６,６は、各帯状部材６の両端部６ａ，６ｂの内の他端部６ｂが、吸収性本体５の長手方向（Ｙ方向）に沿う側部５ｓにおいて、裏面シート３の非肌対向面３ｄと再締結可能に接合している。具体的には、２枚の帯状部材６,６は、それぞれ、幅方向（Ｘ方向）に長い長方形状を有しており、吸収性本体５の長手方向（Ｙ方向）に沿う両側部５ｓ，５ｓ間に亘って配されている。２枚の帯状部材６,６は、吸収性本体５の長手方向（Ｙ方向）の腹側部Ａ側の端部５ａ及び長手方向（Ｙ方向）の背側部Ｂ側の端部５ｂにそれぞれ配されており、吸収性本体５の長手方向（Ｙ方向）に間隔が空いている。尚、第１実施形態の尿とりパッド１Ａでは、吸収性本体５の長手方向（Ｙ方向）の腹側部Ａ側の端部５ａ及び背側部Ｂ側の端部５ｂにそれぞれ帯状部材６が配され、全体で２本の帯状部材６が配されているが、吸収性本体５の長手方向（Ｙ方向）の腹側部Ａ側の端部５ａ、背側部Ｂ側の端部５ｂ及び股下部Ｃにそれぞれ帯状部材６が配され、全体で３本の帯状部材６が配されるようにしてもよい。
【００１７】
そして、第１実施形態の尿とりパッド１Ａでは、図３，図４に示すように、各帯状部材６の両端部６ａ，６ｂが、それぞれ、吸収性本体５の長手方向（Ｙ方向）に沿う側部５ｓにおいて、裏面シート３の非肌対向面３ｄと接合している。詳述すると、各帯状部材６の両端部６ａ，６ｂの内の一端部６ａは、吸収性本体５の長手方向（Ｙ方向）に沿う側部５ｓにおいて、接着剤又は熱融着等によって、裏面シート３の非肌対向面３ｄと強固に接合されている。また、各帯状部材６の一端部６ａと裏面シート３とは、図４に示すように、吸収性本体５を横断面視して、吸収体４と重なる位置で接合している。
【００１８】
一方、各帯状部材６の両端部６ａ，６ｂの内の他端部６ｂは、接合手段７として面ファスナーを用いて、裏面シート３の非肌対向面３ｄと再締結可能に接合されている。また、各帯状部材６の他端部６ｂと裏面シート３とも、一端部６ａと裏面シート３との接合と同様に、図４に示すように、吸収性本体５を横断面視して、吸収体４と重なる位置で接合している。
【００１９】
第１実施形態の尿とりパッド１Ａは、図１に示すように、例えば、吸収性本体５の長手方向（Ｙ方向）に長いシート状のセンサー１０を、裏面シート３と２本の帯状部材６,６との間に配して使用される。具体的には、尿とりパッド１Ａは、シート状のセンサー１０を、Ｘ方向においては、各帯状部材６の両端部６ａ，６ｂの間に配し、更に、厚み方向においては、裏面シート３と２本の帯状部材６,６との間に配して使用される。尚、吸収性本体５は、その外周縁が、シート状のセンサー１０の外周縁よりも広く形成されている。シート状のセンサー１０としては、例えば、本出願人が出願した特開２０１１−７８７９１号公報に記載の排泄検知装置の有する、複数のセンサー素子が面状に分散配置され各センサー素子がインピーダンス変化を検知するセンサー部、或いは圧力変化を検出する面状のセンサー部等が挙げられる。尚、センサー１０には、腹側部Ａ側の端部から外方に延出するコード１１が備えられている。
【００２０】
特に、裏面シート３と２本の帯状部材６,６との間にシート状のセンサー１０を配して尿とりパッド１Ａを使用する場合、長方形状の各帯状部材６は、その幅（Ｙ方向の長さ）が、シート状センサー１０が濡れにくいことや、ズレ防止の観点から、センサー１０の長手方向（Ｙ方向）の長さの３％以上であることが好ましく、５％以上であることが更に好ましく、１０％以上であることが特に好ましく、そして、９０％以下であることが好ましく、８０％以下であることが更に好ましく、４５％以下であることが特に好ましく、具体的には、３％以上９０％以下であることが好ましく、５％以上８０％以下であることが更に好ましく、１０％以上４５％以下であることが特に好ましい。また、長方形状の帯状部材６の合計幅（第１実施形態の尿とりパッド１Ａでは、２本の帯状部材６の合計幅）が、前記と同様の観点から、センサー１０の長手方向（Ｙ方向）の長さの３％以上であることが好ましく、更に好ましくは５％以上であり、また、９０％以下であることが好ましく、８０％以下であることが更に好ましく、４５％以下であることが特に好ましく、具体的には、３％以上９０％以下であることが好ましく、５％以上８０％以下であることが更に好ましく、５％以上４５％以下であることが特に好ましい。
【００２１】
次に、尿とりパッド１Ａを内側に重ねて使用する使い捨ておむつ１００について詳述する。
使い捨ておむつ１００は、図１に示すように、尿とりパッド１Ａが取り付けられるおむつ表面シート１０２と、最も非肌対向面側に配されたおむつ裏面シート１０３と、これら両シート１０２，１０３間に配されたおむつ吸収体１０４とを有している。また、使い捨ておむつ１００は、おむつ吸収体１０４の幅方向（Ｘ方向）外方に、レッグギャザー形成用のおむつレッグ弾性部材（不図示）を長手方向（Ｙ方向）に伸長状態に配し、該おむつレッグ弾性部材（不図示）の収縮によりおむつレッグギャザー１０５が形成されている。
【００２２】
おむつ吸収体１０４は、図１に示すように、例えば、使い捨ておむつ１００の内側に重ねて使用される尿とりパッド１Ａよりも広く、腹側領域Ａの左右両側縁及び背側領域Ｂの左右両側縁それぞれが股下領域Ｃの左右両側縁よりも幅方向（Ｘ方向）外方に延出している。そして、股下領域Ｃの左右両側縁が幅方向（Ｘ方向）内方に向かって円弧状に湾曲しており、全体として長手方向（Ｙ方向）中央部が内方に括れた形状を有している。尚、おむつ吸収体１０４は、尿とりパッド１Ａの吸収体４と同様に、パルプ繊維等の繊維の集合体に吸水性ポリマーの粒子を保持させてなる吸収性コアを、１枚のコアラップシートで被覆して形成されている。
【００２３】
おむつ表面シート１０２及びおむつ裏面シート１０３は、それぞれ、おむつ吸収体１０４の長手方向（Ｙ方向）に沿う左右両側縁及び長手方向（Ｙ方向）の前後両端縁から外方に延出しており、おむつ吸収体１０４の周縁から外方に延出した延出部において直接的に接着剤又は熱融着等によって互いに接合されており、おむつ吸収体１０４を挟持・固定している。
【００２４】
以上のように形成された使い捨ておむつ１００は、図１に示すように、全体として長手方向（Ｙ方向）中央部が内方に括れた形状を有している。使い捨ておむつ１００は、いわゆる展開型のおむつであり、背側領域Ｂの左右両側縁部に二対のファスニングテープ１０６，１０６が設けられ、腹側領域Ａの外表面（非肌対向面）に、該ファスニングテープ１０６，１０６を止着させるランディングテープ（不図示）が設けられている。
【００２５】
第１実施形態の尿とりパッド１Ａの形成材料及び尿とりパッド１Ａを取り付ける使い捨ておむつ１００の形成材料について説明する。
尿とりパッド１Ａの表面シート２及び使い捨ておむつ１００のおむつ表面シート１０２、並びに尿とりパッド１Ａの吸収体４及び使い捨ておむつ１００のおむつ吸収体１０４としては、それぞれ、従来、使い捨ておむつ、生理用ナプキン等の吸収性物品に用いられるもの等を、特に制限なく用いることができる。例えば、表面シート２及びおむつ表面シート１０２としては、親水性且つ液透過性の不織布や立体開孔フィルム等を用いることができる。また、吸収体４を構成する吸収性コア４１及びおむつ吸収体１０４を構成する吸収性コアとしては、パルプ繊維等の繊維の集合体に吸収ポリマーの粒子を保持させたもの等を用いることができ、吸収体４を構成する被覆材４２及びおむつ吸収体１０４を構成する被覆材としては、親水性シート、例えば、透水性の薄紙（ティッシュペーパー）や透水性の不織布からなるコアラップシート等を用いることができる。尚、立体ギャザー８を構成する撥水性のサイドシート８１としては、不織布、織物又は不織布とフィルムの積層シート等を用いることができる。
【００２６】
また、尿とりパッド１Ａの裏面シート３及び使い捨ておむつ１００のおむつ裏面シート１０３としては、液難透過性（撥水性を含む）の樹脂フィルム、或いは該樹脂フィルムに、各種製法による不織布（例えば、エアスルー不織布、スパンボンド不織布、スパンレース不織布、ニードルパンチ不織布等）を積層したシート等を用いることができる。ここで、液難透過性とは、液不透過性を含む。従来のセンサー素子が直接尿と接することにより排尿を検知するセンサーは、その性質上、尿とりパッドの吸収体内に配置せざるを得ず、該パッドごと使い捨てるため高額という問題があった。一方、本出願人が出願した特開２０１１−７８７９１号公報に記載のセンサーは、センサー素子が直接尿に接しなくても排尿を検知することができる。そのため、尿とりパッド１Ａの裏面シート３が、液難透過性のシートで形成されていれば、例えば、シート状のセンサー１０を、裏面シート３と複数本の帯状部材６,６との間に配して尿とりパッド１Ａを使用する場合に、センサー１０を体液で濡らし難く、衛生的に繰り返し使用が可能となる。
【００２７】
また、尿とりパッド１Ａの帯状部材６としては、裏面シート３と同様に、液不透過性又は液難透過性（撥水性を含む）の樹脂フィルム、或いは該樹脂フィルムに、各種製法による不織布（例えば、エアスルー不織布、スパンボンド不織布、スパンレース不織布、ニードルパンチ不織布等）を積層したシート等を用いることができる。このように、尿とりパッド１Ａの帯状部材６が、裏面シート３と同様に、液難透過性のシートで形成されていれば、例えば、シート状のセンサー１０を、裏面シート３と複数本の帯状部材６,６との間に配して尿とりパッド１Ａを使用する場合に、シート状センサー１０を体液で濡らしにくく、使い捨ておむつ１００のおむつ表面シート１０２上に配置したときにズレにくくなる。
【００２８】
また、尿とりパッド１Ａ及び使い捨ておむつ１００それぞれの各部材の固定（各帯状部材６の両端部６ａ，６ｂの内の一端部６ａと裏面シート３の非肌対向面３ｄとの接合を含む）には、接着剤或いは熱融着等が利用される。接着剤としては、通常、使い捨ておむつ等の吸収性物品に用いられるものであれば、特に制限なく用いることができ、例えば、ホットメルト接着剤を用いることができる。ホットメルト接着剤としては、例えばスチレン−イソプレン−スチレンブロック共重合体（ＳＩＳ）、スチレン−ブタジエン−スチレンブロック共重合体（ＳＢＳ）、スチレン−エチレン−ブチレン−スチレン共重合体（ＳＥＢＳ）等のブロックコポリマー系のホットメルト接着剤が挙げられる。熱融着としては、使い捨ておむつ等の吸収性物品に用いられるものであれば、特に制限なく用いることができ、例えば、高周波シール、超音波シールを用いることができる。
【００２９】
各帯状部材６の両端部６ａ，６ｂの内の他端部６ｂと裏面シート３の非肌対向面３ｄとを再締結可能に接合する接合手段７のオス部材としては、通常、使い捨ておむつ等の吸収性物品に用いられるものであれば、特に制限なく用いることができる。例えば、オス部材としては、「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。接合手段７のオス部材が係合するターゲットとしては、例えば、裏面シート３を、液難透過性（撥水性を含む）の樹脂フィルムに不織布を積層したシートで構成しておき、該不織布を、オス部材の係合突起と直接係合可能な係合性に富む不織布とすればよい。
【００３０】
尿とりパッド１Ａの立体ギャザー形成用の弾性部材８２及び使い捨ておむつ１００のレッグギャザー１０５形成用のおむつレッグ弾性部材（不図示）としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００３１】
上述した本発明の第１実施形態の尿とりパッド１Ａを使用した際の作用効果について説明する。
尿とりパッド１Ａは、図２，図３に示すように、吸収性本体５の非肌対向面５ｄ側に幅方向（Ｘ方向）に延びる複数本の帯状部材６を備え、複数本の帯状部材６は、吸収性本体５の長手方向（Ｙ方向）に間隔を空けて配されており、図４に示すように、各帯状部材６の両端部６ａ，６ｂが、吸収性本体５の長手方向（Ｙ方向）に沿う側部５ｓにおいて、裏面シート３の非肌対向面３ｄと接合している。そのため、裏面シート３と複数本の帯状部材６との間に、例えばインピーダンス変化を検出する面状のセンサー部や圧力変化を検出する面状のセンサー部を容易に固定することができるので、利便性が向上する。具体的には、尿とりパッド１Ａがシート状のセンサー１０を裏面シート３と２本の帯状部材６，６との間に配して使用される場合、センサー１０を固定し易いので、尿とりパッド１Ａの利便性が向上する。また、このようにセンサー１０が配された尿とりパッド１Ａを、図１に示すように、使い捨ておむつ１００の内側に重ねて使用すれば、センサー１０が固定され易く、センサー素子のインピーダンス変化を正確に検出し易く、おむつ１００の内部の尿量や尿の分布を精度よく検知することができる。
【００３２】
また、尿とりパッド１Ａは、図２に示すように、吸収性本体５の肌対向面側に立体ギャザー８を有しているので、体液が横漏れし難く、おむつ内に排泄された尿量をより精度よく検知することができ、また、裏面シート３と２本の帯状部材６，６との間に配して固定する例えばインピーダンス変化を検出する面状のセンサー部や圧力変化を検出する面状のセンサー部が体液で汚れ難くなる。
【００３３】
また、尿とりパッド１Ａは、図４に示すように、吸収性本体５を横断面視して、各帯状部材６の一端部６ａと裏面シート３とが、吸収体４と重なる位置で接合している。その為、着用時に、幅方向（Ｘ方向）端部が内側に折れて接合手段７が着用者の肌に当たることにより、違和感や痛み、かぶれ等をおこし難い。また、吸収体４と重なる位置で接合しているため、各帯状部材６の一端部６ａと裏面シート３との接合部分に、段差ができ難く、違和感を生じ難い。特に尿とりパッド１Ａでは、図４に示すように、各帯状部材６の一端部６ａのみならず、各帯状部材６の他端部６ｂも、吸収体４と重なる位置で裏面シート３に接合しているので、上記効果を特に奏する。
【００３４】
また、尿とりパッド１Ａは、図４に示すように、各帯状部材６の両端部６ａ，６ｂの内の他端部６ｂが、裏面シート３の非肌対向面３ｄと接合手段７を介して再締結可能に接合している。そのため、例えば、裏面シート３と２本の帯状部材６，６との間にインピーダンス変化を検出する面状のセンサー部や圧力変化を検出する面状のセンサー部を固定する際に、固定状態の調整を容易に行うことができ、尿とりパッド１Ａの利便性が更に向上する。
【００３５】
次に、本発明の第２〜第３実施形態の尿とりパッド１Ｂ〜１Ｃについて説明する。第２〜第３実施形態の尿とりパッド１Ｂ〜１Ｃは、帯状部材６の形態の形態が、第１実施形態の尿とりパッド１Ａと異なる。第２〜第３実施形態の尿とりパッド１Ｂ〜１Ｃについては、第１実施形態の尿とりパッド１Ａと異なる点について主として説明し、同様の点については同一の符号を付して説明を省略する。特に言及しない点については、第１実施形態の尿とりパッド１Ａに関する説明が適宜適用される。また、第２〜第３実施形態の尿とりパッド１Ｂ〜１Ｃの効果については、第１実施形態の尿とりパッド１Ａの効果と異なる点について説明し、特に説明しない点は、尿とりパッド１Ａの効果と同様であり、尿とりパッド１Ａの効果の説明が適宜適用される。
【００３６】
第２実施形態の尿とりパッド１Ｂにおいては、尿とりパッド１Ａと同様に、図５に示すように、吸収性本体５の非肌対向面５ｄ側に吸収性本体５の幅方向（Ｘ方向）に延びる２本の帯状部材６,６を備え、２本の帯状部材６,６が、吸収性本体５の長手方向（Ｙ方向）に間隔を空けて配されている。また、第２実施形態の尿とりパッド１Ｂにおいては、尿とりパッド１Ａと同様に、図６に示すように、吸収性本体５の肌対向面５ｕ側において、着用時に立体ギャザー８が形成される。しかし、第２実施形態の尿とりパッド１Ｂにおいては、尿とりパッド１Ａと異なり、図６に示すように、各帯状部材６の両端部６ａ，６ｂが、それぞれ、吸収性本体５の長手方向（Ｙ方向）に沿う側部５ｓにおいて、接着剤又は熱融着等によって、裏面シート３の非肌対向面３ｄと強固に接合されている。
【００３７】
第２実施形態の尿とりパッド１Ｂにおいては、各帯状部材６が伸縮性を有している。伸縮性を有する帯状部材６としては、伸縮性の帯状フィルム、伸縮性の帯状不織布、伸縮性の帯状織物又はそれらの積層シート等が挙げられる。具体的には、天然ゴム、ポリウレタン、ポリスチレン−ポリイソプレン共重合体、ポリスチレン−ポリブタジエン共重合体、ポリエチレン−アクリル酸エチル等のポリエチレン−αオレフィン共重合体等からなる材自体が伸縮性を有する帯状の材料や、これら伸縮性の材料を糸状にした弾性部材を肌当接面側の帯状シートと非肌当接面側の帯状シートとの間に配設固定した帯状複合シート等が挙げられる。前記帯状シートとしては、尿とりパッド１Ａの帯状部材６と同様の材料が挙げられる。前記帯状複合シートは、例えば、あらかじめ糸状の弾性部材を所定の伸張率まで伸張し、それを両帯状シート間に、ホットメルトやヒートシール等によって接着することによって、作製できる。このように、第２実施形態の尿とりパッド１Ｂにおいては、各帯状部材６が伸縮性を有しているので、裏面シート３と２本の帯状部材６，６との間にインピーダンス変化を検出する面状のセンサー部や圧力変化を検出する面状のセンサー部を固定する際に、フィット性が向上する。
【００３８】
また、第２実施形態の尿とりパッド１Ｂにおいては、着用時に形成される立体ギャザー８は、その収縮率が、伸縮性を有する各帯状部材６の収縮率よりも大きく形成されている。立体ギャザー８の収縮率は、使用時の立体ギャザー８の収縮を阻害し難い観点から、伸縮性を有する各帯状部材６の収縮率の１．０倍より大きいことが好ましく、１．５倍以上であることが更に好ましい。立体ギャザー８の収縮率及び各帯状部材６の収縮率は、伸長状態で伸長状態の寸法（ａ）を測定した後、切り取り、切り取った片の収縮状態での寸法（ｂ）を測定し、比率（ａ／ｂ）から収縮率を算出する。切り取りが困難な場合は、伸長状態の所定寸法と収縮状態での寸法を測定し算出することも可能である。なお、立体ギャザー８が一対以上配される場合や、各立体ギャザー８が複数本の立体ギャザー形成用の弾性部材８２を有する場合、帯状部材６が複数本配される場合が考えられる。その場合、複数の弾性部材８２を有していても、複数本の弾性体８２とサイドシート８１の複合体としての立体ギャザー８一本分の収縮率を測定し、全ての立体ギャザー８の収縮率を平均する。帯状部材６も一本分として収縮率を測定し、全ての帯状部材６の収縮率を平均する。そして、全ての立体ギャザー８の収縮率の平均が、全ての帯状部材の収縮率の平均よりも、大きければよい。
【００３９】
次に、第３実施形態の尿とりパッド１Ｃにおいては、尿とりパッド１Ａと同様に、図７に示すように、吸収性本体５の非肌対向面５ｄ側に吸収性本体５の幅方向（Ｘ方向）に延びる２本の帯状部材６,６を備え、２本の帯状部材６,６が、吸収性本体５の長手方向（Ｙ方向）に間隔を空けて配されている。また、第３実施形態の尿とりパッド１Ｃにおいては、尿とりパッド１Ａと同様に、図８に示すように、吸収性本体５の肌対向面５ｕ側において、着用時に立体ギャザー８が形成される。しかし、第３実施形態の尿とりパッド１Ｃにおいては、尿とりパッド１Ａと異なり、図７，図８に示すように、各帯状部材６の両端部６ａ，６ｂが、それぞれ、吸収性本体５の長手方向（Ｙ方向）に沿う側部５ｓにおいて、接着剤又は熱融着等によって、裏面シート３の非肌対向面３ｄと強固に接合されている。
【００４０】
また、第３実施形態の尿とりパッド１Ｃにおいては、尿とりパッド１Ａと異なり、図７，図８に示すように、各帯状部材６の両端部６ａ，６ｂは、２片の短部材６１,６２から形成されており、該２片の短部材６１,６２同士は接合手段７１を介して再締結可能に接合している。即ち、吸収性本体５の長手方向（Ｙ方向）に沿う両側部５ｓ，５ｓにおいては、各帯状部材６を構成する２片の短部材６１,６２の内の一方の短部材６２の一端６２ａが、裏面シート３に強固に接合されており、各帯状部材６を構成する２片の短部材６１,６２の内の他方の短部材６１の他端６１ｂが、裏面シート３に強固に接合されている。そして、吸収性本体５の長手方向（Ｙ方向）に延びる中心線ＣＬ近傍においては、各帯状部材６を構成する２片の短部材６１,６２の内の一方の短部材６２の他端６２ｂの肌対向面側と他方の短部材６１の一端６１ａの非肌対向面側とが、接合手段７１を介して再締結可能に接合している。このように、第３実施形態の尿とりパッド１Ｃにおいては、中心線ＣＬ近傍にて、各帯状部材６を構成する２片の短部材６１,６２同士が接合手段７１を介して再締結可能に接合しているので、裏面シート３と２本の帯状部材６，６との間にインピーダンス変化を検出する面状のセンサー部や圧力変化を検出する面状のセンサー部を固定する際に、固定具合を調整し易く、利便性が向上する。
【００４１】
再締結可能に接合させる接合手段７１のオス部材としては、尿とりパッド１Ａにおける接合手段７のオス部材と同様のものを用いることができる。
【００４２】
本発明の吸収性物品は、上述の第１〜第３実施形態の尿とりパッド１Ａ〜１Ｃに何ら制限されるものではなく、適宜変更可能である。また、上述の第１〜第３実施形態の尿とりパッド１Ａ〜１Ｃにおける各構成要件は、本発明の趣旨を損なわない範囲で、適宜組み合わせて実施できる。吸収性本体５は、長方形状に限られず、例えば、羽子板形状やひょうたん形状にすることもできる。
【００４３】
例えば、第１〜第３実施形態の尿とりパッド１Ａ〜１Ｃにおいては、使用時（着用時）のズレ防止の観点から、各帯状部材６の非肌対向面に、尿とりパッド１Ａ〜１Ｃを使い捨ておむつ１００の内側に固定する接着剤が塗工されていてもよい。
【００４４】
また、第１実施形態の尿とりパッド１Ａにおいては、各帯状部材６の両端部６ａ，６ｂの内の他端部６ｂが、接合手段７として面ファスナーを用いて、裏面シート３の非肌対向面３ｄと再締結可能に接合されているが、面ファスナーに換えて、接合手段７が、該他端部６ｂに塗布された粘着剤と、裏面シート３における該他端部６ｂの該粘着剤に対応する位置に剥離処理の施された剥離処理部とから形成されていてもよい。第３実施形態の尿とりパッド１Ｃにおける、２片の短部材６１,６２同士を再締結可能に接合される接合手段７１についても同様に変更してもよい。
【００４５】
また、第１〜第３実施形態の尿とりパッド１Ａ〜１Ｃにおいては、各帯状部材６が幅方向（Ｘ方向）に長い長方形状を有しているが、長方形状に限らず、幅方向（Ｘ方向）に長い形状であればよい。
【００４６】
また、本発明の吸収性物品は、吸収性パッドの他、幼児又は成人用の展開型又はパンツ型の使い捨ておむつ、生理用ナプキンやパンティライナ等であってもよい。
【００４７】
上述した実施形態に関し、さらに以下の尿とりパッドを開示する。
＜１＞
肌対向面側に配された表面シートと、非肌対向面側に配された裏面シートと、これら両シート間に配された吸収体とを有する縦長の吸収性本体を備えた吸収性物品であって、
前記吸収性物品は、前記吸収性本体の非肌対向面側に該吸収性本体の幅方向に延びる複数本の帯状部材をえ、
複数本の前記帯状部材は、前記吸収性本体の長手方向に間隔を空けて配され、各帯状部材の両端部の内の少なくとも一端部が、前記吸収性本体の長手方向に沿う側部において、前記裏面シートの非肌対向面と接合している吸収性物品。
【００４８】
＜２＞
前記吸収性物品は、前記吸収性本体の長手方向に長いシート状のセンサーを、前記裏面シートと前記複数本の帯状部材との間に配して使用される前記＜１＞に記載の吸収性物品。
＜３＞
前記吸収性物品は、前記吸収性本体の肌対向面側において、該吸収性本体の長手方向に沿う両側部それぞれに配設固定された撥水性のサイドシートを備え、該サイドシートの自由端部には、該吸収性本体の長手方向に伸長状態の立体ギャザー形成用の弾性部材が配設固定されており、
着用時には、前記立体ギャザー形成用の弾性部材の収縮力によって、前記サイドシートの自由端部が起立して立体ギャザーを形成する前記＜１＞又は＜２＞に記載の吸収性物品。
＜４＞
各前記帯状部材の両端部の内の他端部が、前記吸収性本体の長手方向に沿う側部において、前記裏面シートの非肌対向面と再締結可能に接合している前記＜１＞〜＜３＞の何れか１に記載の吸収性物品。
＜５＞
各前記帯状部材の前記他端部と前記裏面シートとを再締結可能に接合する接合手段が、面ファスナーである前記＜４＞に記載の吸収性物品。
＜６＞
前記裏面シートは、液難透過性である前記＜１＞〜＜５＞の何れか１に記載の吸収性物品。
＜７＞
各前記帯状部材は、伸縮性を有している前記＜１＞〜＜６＞の何れか１に記載の吸収性物品。
＜８＞
前記吸収性物品は、前記吸収性本体の肌対向面側において、該吸収性本体の長手方向に沿う両側部それぞれに配設固定された撥水性のサイドシートを備え、該サイドシートの自由端部には、該吸収性本体の長手方向に伸長状態の立体ギャザー形成用の弾性部材が配設固定されており、
着用時には、前記立体ギャザー形成用の弾性部材の収縮力によって、前記サイドシートの自由端部が起立して立体ギャザーを形成しており、
前記立体ギャザーは、その収縮率が、各前記帯状部材の収縮率よりも大きい前記＜１＞〜＜７＞の何れか１に記載の吸収性物品。
＜９＞
前記立体ギャザーの収縮率は、伸縮性を有する前記帯状部材の収縮率の１．０倍より大きいことが好ましく、１．５倍以上であることが更に好ましい、前記＜８＞に記載の吸収性物品。
【００４９】
＜１０＞
各前記帯状部材は、２片の短部材から形成されており、該２片の短部材同士は再締結可能に接合している前記＜１＞〜＜９＞の何れか１に記載の吸収性物品。
＜１１＞
各前記帯状部材の前記一端部と前記裏面シートとは、前記吸収性本体を横断面視して、前記吸収体と重なる位置で接合している前記＜１＞〜＜１０＞の何れか１に記載の吸収性物品。
＜１２＞
前記吸収性物品は、使い捨ておむつの内側に配されて使用される尿とりパッドであり、各前記帯状部材の非肌対向面に、該吸収性物品を前記使い捨ておむつの内側に固定する接着剤が塗工されている前記＜１＞〜＜１１＞の何れか１に記載の吸収性物品。
＜１３＞
前記帯状部材は、幅方向（Ｘ方向）に長い長方形状を有しており、前記吸収性本体の長手方向（Ｙ方向）に沿う両側部間に亘って配されている前記＜１＞〜＜１２＞の何れか１に記載の吸収性物品。
＜１４＞
前記吸収性本体の長手方向（Ｙ方向）の腹側部側の端部、背側部側の端部及び股下部にそれぞれ前記帯状部材が配され、全体で３本の該帯状部材が配される前記＜１＞〜＜１３＞の何れか１に記載の吸収性物品。
＜１５＞
長方形状の前記各帯状部材は、その幅（Ｙ方向の長さ）が、前記センサーの長手方向（Ｙ方向）の長さの３％以上であることが好ましく、更に好ましくは５％以上である前記＜１＞〜＜１４＞の何れか１に記載の吸収性物品。
＜１６＞
長方形状の前記各帯状部材は、その幅（Ｙ方向の長さ）が、前記センサーの長手方向（Ｙ方向）の長さの９０％以下であることが好ましく、更に好ましくは４５％以下である前記＜１＞〜＜１５＞の何れか１に記載の吸収性物品。
＜１７＞
長方形状の前記帯状部材の合計幅が、前記センサーの長手方向（Ｙ方向）の長さの３％以上であることが好ましく、更に好ましくは５％以上であり、特に好ましくは１０％以上である前記＜１＞〜＜１６＞の何れか１に記載の吸収性物品。
＜１８＞
長方形状の前記帯状部材の合計幅が、前記センサーの長手方向（Ｙ方向）の長さの９０％以下であることが好ましく、更に好ましくは８０％以下であり、特に好ましくは４５％以下である前記＜１＞〜＜１７＞の何れか１に記載の吸収性物品。
【符号の説明】
【００５０】
１Ａ〜１Ｃ  尿とりパッド
２  表面シート
２ｕ  肌対向面
３  裏面シート
３ｄ  裏面シートの非肌対向面
４  吸収体
４１  吸収性コア
４２  コアラップシート
５  吸収性本体
５ｕ  肌対向面
５ｄ  非肌対向面
５ａ  長手方向の腹側部側の端部
５ｂ  長手方向の背側部側の端部
５ｓ  長手方向に沿う側部
６  帯状部材
６ａ，６ｂ  帯状部材の端部
６１,６２  短部材
６１ａ，６１ｂ  短部材６１の端部
６２ａ，６２ｂ  短部材６２の端部
７  接合手段
７１  接合手段
８  立体ギャザー
８１  サイドシート
８２  弾性部材
８１ｆ  自由端部
１０  シート状のセンサー
１１  コード
１００  使い捨ておむつ
１０２  おむつ表面シート
１０３  おむつ裏面シート
１０４  おむつ吸収体
１０５  おむつレッグギャザー
１０６  ファスニングテープ
Ａ  腹側部，Ｂ  背側部，Ｃ  股下部
ＣＬ  長手方向に延びる中心線
【図１】
2015027323.tif 000003
【図２】
2015027323.tif 000004
【図３】
2015027323.tif 000005
【図４】
2015027323.tif 000006
【図５】
2015027323.tif 000007
【図６】
2015027323.tif 000008
【図７】
2015027323.tif 000009
【図８】
2015027323.tif 000010